(57)【要約】【課題】本発明は、開放状態、閉止状態を維持することのできる蓋体開閉構造を提供する。【解決手段】本発明に係る蓋体開閉構造は、開口２１を有する凹部２３が設けられたケーシング２０と、開口を開閉可能に塞ぐ蓋板５２を具えた蓋体５０と、を具えた蓋体開閉構造であって、蓋体には、弾性部材によって形成され、蓋板の裏面から裏面と略平行方向、且つ、蓋板から離れる方向に延出する一対のアーム部６３と、アーム部間に形成されたスリット６４と、アーム部の先端どうしを連繋する繋ぎ部６５であって、スリット側の面が、蓋板の裏面と略垂直である当たり面６６を有する繋ぎ部と、を具えるコネクタ６０が設けられており、ケーシングには、凹部の側方に凹部と連通して設けられ、凹部の底面よりも深く形成されたスライド空間４０と、凹部の底面から側方に向けてスライド空間に突設された抜止め４２と、を具える。【選択図】図９
2015185722.tif 000002
【特許請求の範囲】
【請求項１】
外側に向けて開口を有する凹部が設けられたケーシングと、
前記開口を開閉可能に塞ぐ蓋板を具えた蓋体と、
を具えた蓋体開閉構造であって、
前記蓋体には、弾性部材によって形成され、前記蓋板の裏面から前記裏面と略平行方向、且つ、前記蓋板から離れる方向に延出する一対のアーム部と、前記アーム部間に形成されたスリットと、前記アーム部の先端どうしを連繋する繋ぎ部であって、前記スリット側の面が、前記蓋板の裏面と略垂直である当たり面を有する繋ぎ部と、を具えるコネクタが設けられており、
前記ケーシングには、前記凹部の側方に前記凹部と連通して設けられ、前記凹部の底面よりも深く形成されたスライド空間と、前記凹部の前記底面から側方に向けて前記スライド空間に突設された抜止めと、を具え、
前記コネクタは、前記スライド空間に前記繋ぎ部が収容され、前記スリットが前記抜止めに摺動可能に嵌まり、前記蓋板を前記ケーシングに対して略垂直となるように開いたときに、前記当たり面は、前記抜止めと面当たりする、
ことを特徴とする蓋体開閉構造。
【請求項２】
前記繋ぎ部は、先端に面取されたスライド当接面を有しており、
前記スライド空間の底面には、前記蓋板の開閉の際に前記スライド当接面が摺接するスライド面が形成され、前記スライド面は、略円弧状の凹形状である、
請求項１に記載の蓋体開閉構造。
【発明の詳細な説明】
【技術分野】
【０００１】
本発明は、ケーシングに設けられた開口を外側から開閉可能に覆う蓋板を具えた蓋体開閉構造に関するものである。
【背景技術】
【０００２】
電子機器には、メモリカード、外部接続端子、バッテリ等を収容又は接続する収容部を具える凹部が形成されているものがあり、この種の機器では、ケーシングに凹設された凹部の開口を開閉可能に蓋板で覆っている（たとえば、特許文献１参照）。
【０００３】
特許文献１の蓋体は、蓋板がケーシングから脱落しないように、ケーシングと蓋板とを、熱可塑性エラストマーからなる弾性帯で連繋している。
【先行技術文献】
【特許文献】
【０００４】
【特許文献１】特開２００４−２３３７５２号公報
【発明の概要】
【発明が解決しようとする課題】
【０００５】
しかしながら、弾性帯は、端部がケーシング及び蓋板に夫々固定されている。従って、蓋板の開放状態では、弾性帯の復元力によって蓋板が閉じ方向に付勢されるから、完全に開放した状態を維持できない。また、蓋板の閉止状態では、弾性帯の復元力によって蓋板が開き方向に付勢されてしまい、蓋板が開いてしまうことがある。
【０００６】
また、近年では、メモリカードや外部接続端子などが小型化しており、これに合わせて、蓋板も小さくなっている。このため、蓋板の開閉をスムーズに行なうことのできる蓋体開閉構造が求められている。
【０００７】
本発明の目的は、蓋板の開閉をスムーズに行なうことができ、開放状態、閉止状態を維持することのできる蓋体開閉構造を提供することである。
【課題を解決するための手段】
【０００８】
本発明に係る蓋体開閉構造は、
外側に向けて開口を有する凹部が設けられたケーシングと、
前記開口を開閉可能に塞ぐ蓋板を具えた蓋体と、
を具えた蓋体開閉構造であって、
前記蓋体には、弾性部材によって形成され、前記蓋板の裏面から前記裏面と略平行方向、且つ、前記蓋板から離れる方向に延出する一対のアーム部と、前記アーム部間に形成されたスリットと、前記アーム部の先端どうしを連繋する繋ぎ部であって、前記スリット側の面が、前記蓋板の裏面と略垂直である当たり面を有する繋ぎ部と、を具えるコネクタが設けられており、
前記ケーシングには、前記凹部の側方に前記凹部と連通して設けられ、前記凹部の底面よりも深く形成されたスライド空間と、前記凹部の前記底面から側方に向けて前記スライド空間に突設された抜止めと、を具え、
前記コネクタは、前記スライド空間に前記繋ぎ部が収容され、前記スリットが前記抜止めに摺動可能に嵌まり、前記蓋板を前記ケーシングに対して略垂直となるように開いたときに、前記当たり面は、前記抜止めと面当たりする。
【発明の効果】
【０００９】
本発明の蓋体開閉構造によれば、蓋板を開いたときに、コネクタのアーム部が抜止めを摺動し、繋ぎ部の当たり面が抜止めと面当たりすることで開状態を維持することができる。
【図面の簡単な説明】
【００１０】
【図１】図１は、本発明に係る電子機器の蓋板の開放状態を示す斜視図である。
【図２】図２は、本発明に係る電子機器の蓋板の閉止状態を示す斜視図である。
【図３】図３は、蓋体を裏面側から見た斜視図である。
【図４】図４は、蓋板の閉止状態におけるアーム部を通る断面図である。
【図５】図５は、蓋板の閉止状態におけるスリットを通る断面図である。
【図６】図６は、蓋板が開閉移行にあるアーム部を通る断面図である。
【図７】図７は、蓋板が開閉移行にあるスリットを通る断面図である。
【図８】図８は、蓋板の開放状態におけるアーム部を通る断面図である。
【図９】図９は、蓋板の閉止状態におけるスリットを通る断面図である。
【発明を実施するための形態】
【００１１】
本発明の蓋体開閉構造を電子機器に採用した実施形態について説明する。電子機器として、デジタルカメラ、携帯電話機、スマートフォン、タブレット型コンピュータ、ＰＤＡ（Personal Digital Assistant）携帯型音楽プレーヤー、ノート型パソコンなどを例示することができる。以下では、本発明を電子機器１０としてデジタルカメラに適用して説明する。
【００１２】
図１に示すように、電子機器１０は、ケーシング２０に形成された開口２１を具える凹部２３と、凹部２３を覆う蓋板５２を含む蓋体５０と、を具える。
【００１３】
図示の実施形態では、凹部２３は、ケーシング２０に外向きに形成された略矩形の開口２１を有し、凹部２３の底面２４には、メモリカード、外部接続端子、バッテリ等を収容又は接続する収容部２７が形成されている。たとえば、収容部２７は、ｍｉｃｒｏ  ＳＤカードを挿脱可能に収容する。凹部２３の詳細については、後述する。
【００１４】
蓋体５０は、図１に示すように、前述した蓋板５２と、蓋板５２をケーシング２０から脱落しないように接続するコネクタ６０を具える。蓋板５２は、開口２１を塞いだときに、図２に示すように、ケーシング２０の外面と段差なくフラットに連続するよう形成することができる。
【００１５】
蓋板５２には、図１乃至図３に示すように、開放状態における自由端側に、蓋体５０を開き方向に回動させる際にユーザが爪などを挿入する爪掛かり部５４が形成されている。また、蓋板５２の裏面には、図１及び図３に示すように、弾性部材からなるコネクタ６０が装着されている。
【００１６】
コネクタ６０は、熱可塑性エラストマーの如き弾性部材から構成することができる。たとえば、蓋板５２をポリカーボネートとし、蓋板５２とコネクタ６０を二色成形することで作製することができる。
【００１７】
コネクタ６０は、図１及び図３に示すように、蓋板５２の裏面に装着される基部６１と、基部６１から開放状態において蓋板５２の裏面と略平行に延びる一対のアーム部６３，６３と、アーム部６３，６３の先端どうしを連繋する繋ぎ部６５（図３）を具える。
【００１８】
基部６１には、蓋板５２の先端や側面近傍に先端方向や側方に向けて爪片の形成されたフック６２が形成されており、このフック６２をケーシング２０に形成されたフック係合孔２５に係合することで、蓋板５２をケーシング２０に閉止状態で維持することができる。
【００１９】
アーム部６３は、より詳細には、蓋板５２の裏面に取り付けられた基部６１から、図１及び図３に示すように、蓋板５２の裏面から略垂直方向に離れつつ、略平行方向に屈曲し、蓋板５２から略平行方向に離れる方向に延出している。
【００２０】
アーム部６３どうしは、略平行に延びており、これらの間には、図１及び図３に示すようにスリット６４が形成されている。
【００２１】
図３に示すように、アーム部６３の先端どうしは、繋ぎ部６５によって連繋されている。すなわち、スリット６４は、繋ぎ部６５によって終端する。
【００２２】
図３において、蓋板５２の裏面側、即ち紙面前方を前、紙面上方を上とすると、繋ぎ部６５は、アーム部６３よりも前後方向に膨出しており、スリット６４の終端に、蓋板５２の裏面と略垂直な当たり面６６が形成されている。また、当たり面６６は、後端に、上方に向けて延びるストッパ部６８を有する。
【００２３】
繋ぎ部６５は、下端前方に面取りが施されたスライド当接面６７を有する。スライド当接面６７は、略円弧状の凸形状とすることができる。
【００２４】
蓋体５０は、コネクタ６０が装着された状態で、図１、図４及び図５等に示すように、ケーシング２０に装着される。
【００２５】
ケーシング２０は、たとえば、外装を構成する第１シャーシ３０と第２シャーシ３２、これらの内部に収容されるインナーシャーシ３４を含んでいる。インナーシャーシ３４を第１シャーシ３０と第２シャーシ３２との間に収容された状態で、第１シャーシ３０と第２シャーシ３２とを嵌め合わせることにより、ケーシング２０が構成される。もちろん、ケーシング２０の構成はこれに限定されるものではない。
【００２６】
第１シャーシ３０と第２シャーシ３２との接合面には、上記した開口２１が形成されている。開口２１に連続する凹部２３は、第２シャーシ３２とインナーシャーシ３４から構成することができる。第２シャーシ３２には、凹部２３の底面２４に、前述した蓋体５０のフック６２が係合するフック係合孔２５が対応箇所に凹設されている。
【００２７】
凹部２３の一端には、図４及び図５に示すように、凹部２３の側方に連通するスライド空間４０が形成されている。図示の実施形態では、スライド空間４０は、第１シャーシ３０とインナーシャーシ３４から構成される。
【００２８】
スライド空間４０は、図４乃至図９に示すように、蓋板５２を開閉したときに、コネクタ６０の繋ぎ部６５が移動する空間である。凹部２３の底面２４には、図１及び図６に示すように、凹部２３の底面２４と略平行であり、スライド空間４０に向けて延びる抜止め４２が突設されている。図示の実施形態では、抜止め４２は、インナーシャーシ３４により構成され、先端上面が第１シャーシ３０の内面と略接触するよう形成している。抜止め４２は、コネクタ６０のスリット６４が摺動可能に嵌まる幅に形成されている。
【００２９】
また、スライド空間４０の底面もインナーシャーシ３４により構成され、蓋板５２の開閉の際に繋ぎ部６５のスライド当接面６７が摺接スライドするスライド面４４となっている。望ましくは、スライド面４４は、略円弧状の凹形状とし、抜止め４２の下面とスライド面４４との間隔は、繋ぎ部６５の当たり面６６から繋ぎ部６５の先端（図３では下端）までの長さと略一致するように形成する。
【００３０】
上記構成のケーシング２０に蓋体５０が装着される。より詳細には、蓋体５０は、インナーシャーシ３４の抜止め４２にコネクタ６０のスリット６４を嵌めて、第１シャーシ３０と第２シャーシ３２をインナーシャーシ３４を挟むように嵌め合わせることで、蓋体５０をケーシング２０に脱落不能に装着できる。
【００３１】
図４及び図５は、蓋板５２を閉じた状態を示している。図に示すように、蓋板５２が閉じた状態では、フック６２がフック係合孔２５に嵌まることで、蓋板５２が凹部２３の開口２１を封止する。
【００３２】
このとき、コネクタ６０は、アーム部６３がスライド空間４０に侵入し、繋ぎ部６５がスライド空間４０の奥側、すなわち、凹部２３から離れる方向に位置している。
【００３３】
この状態から、蓋板５２の爪掛かり部５４にユーザの爪などを差し込んで、図６及び図７中矢印Ａ方向で示す方向に引っ張ると、フック６２とフック係合孔２５との係合が解け、蓋板５２が開口２１から外れる。このとき、アーム部６３は、スリット６４が抜止め４２を摺動し、繋ぎ部６５は、スライド当接面６７が、スライド空間４０のスライド面４４に摺接しながら凹部２３側にスムーズに移動する。
【００３４】
そして、図８及び図９に示すように、蓋板５２をケーシング２０に対して略垂直となるまで開くと、繋ぎ部６５は、抜止め４２とスライド面４４との間に侵入し、当たり面６６が抜止め４２の下面と面当たりする（図９）。
【００３５】
この状態において、蓋板５２が倒れ方向に移動しようとしても、繋ぎ部６５の当たり面６６が、抜止め４２の下面と面当たりしているから、蓋板５２は倒れず、開状態を維持することができる。また、抜止め４２の下面とスライド面４４との距離を繋ぎ部６５の当たり面６６から先端となる下端までの距離と略一致させることで、繋ぎ部６５は、弾性変形しながら抜止め４２の下面とスライド面４４との間に侵入することとなり、抜止め４２の下面と当たり面６６との当たり強さを高めることができ、蓋板５２の開状態におけるぐらつきを抑えることができる。
【００３６】
たとえば、蓋板５２の開状態において、蓋板５２が自重により閉じるように、略水平となるようにケーシング２０を傾けても（図９を反時計回りに９０°回転刺せる方向）、抜止め４２の下面と当たり面６６との面当たりにより、蓋板５２が閉じてしまうことはない。
【００３７】
なお、図４及び図５の状態から、蓋板５２が開方向にこれ以上回転しないように、蓋板５２がケーシング２０に対して略垂直となったときに、繋ぎ部６５の先端がスライド空間４０の壁面に当接したり、繋ぎ部６５のストッパ部６８が抜止め４２の先端に当接するようにすることが望ましい。
【００３８】
開状態にある蓋板５２を閉じるには、蓋板５２を図６及び図７の矢印Ｂ方向に押し込む。これにより、図９に示すように抜止め４２の下面とスライド面４４との間に侵入していた繋ぎ部６５は、これらの間から抜け出して、図６及び図７に示すようにスライド面４４上をスライド当接面６７しながら、蓋板５２が開口２１に接近していく。スライド面４４を円弧状の凹形状とし、スライド当接面６７を面取りしておくことで、スムーズに蓋板５２を閉じ方向に移動させることができる。
【００３９】
そして、図４及び図５に示すように、蓋板５２と開口２１を位置合わせし、フック６２がフック係合孔２５に嵌るように蓋板５２を押し込むことで、蓋板５２は開口２１を塞ぐ。
【００４０】
本発明では、蓋体５０は、蓋板５２がケーシング２０に対して略垂直な開状態を安定して維持することができるから、凹部２３に形成された収容部２７へのｍｉｃｒｏ  ＳＤカード等の挿脱作業を行なうときに、蓋板５２が閉じないように押さえておく必要はない。とくに、メモリカードや外部接続端子などの小型化により、収容部２７や開口２１を小さくした電子機器１０において、これらに合わせて小さい蓋板５２を開閉する際に、本発明は特に有用である。
【００４１】
本発明では、蓋板５２の開状態、開閉途上状態、閉状態において、アーム部６３はほとんど変形しないから、アーム部６３が開閉の繰り返しにより曲げ疲労により破断等してしまうことも抑えることができ、蓋体５０の長寿命化を達成できる。
【００４２】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【符号の説明】
【００４３】
１０  電子機器
２０  ケーシング
２１  開口
２３  凹部
２４  底面
４０  スライド空間
４２  抜止め
４４  スライド面
５０  蓋体
５２  蓋板
６０  コネクタ
６３  アーム部
６４  スリット
６５  繋ぎ部
６６  当たり面
６７  スライド当接面
【図１】
2015185722.tif 000003
【図２】
2015185722.tif 000004
【図３】
2015185722.tif 000005
【図４】
2015185722.tif 000006
【図５】
2015185722.tif 000007
【図６】
2015185722.tif 000008
【図７】
2015185722.tif 000009
【図８】
2015185722.tif 000010
【図９】
2015185722.tif 000011